(57)【特許請求の範囲】
【請求項１】
記録媒体に対し記録又は再生を行う記録・再生装置及びこれの外部装置として接続されるコンピュータを備え、前記記録・再生装置は前記記録媒体に対する記録又は再生に関連する各種情報のうち、与えられる指示に基づいてサイクリックに切り替えられる第１の表示モードに対応するものを表示する手段を有し、前記コンピュータは前記各種情報のうち、与えられる指示に基づいてサイクリックに切り替えられる第２の表示モードに対応するものを表示するものである記録・再生システムにおいて、
前記切替えの指示が前記記録・再生装置又はコンピュータのいずれで生じたイベントであるかにかかわらず、その切替え指示に応じ、前記第１及び第２表示モードを、あらかじめ定められた前記第１及び第２表示モードの対応関係に従い、連動させて切り替える切替え手段を具備し、
前記第１及び第２表示モードの対応関係は、前記第１及び第２表示モードに共通の表示モードについては同一の表示モード同士が対応し、前記第１又は第２表示モードの一方にのみ存在する表示モードについては、他方の表示モードのうち、前記サイクリックな表示の順序における直近の前記共通の表示モードが対応するように定められていることを特徴とする記録・再生システム。
【請求項２】
前記切替え手段は、前記切替え指示が与えられた場合、前記第１又は第２表示モードをどの表示モードに切り替えるかを前記記録・再生装置において判定し、その表示モードに前記第１又は第２表示モードを切り替えるとともに、前記第１及び第２表示モードの対応関係に従い、この切替え後の第１又は第２表示モードに対応させて前記第２又は第１表示モードの切替えを行うことにより、前記第１及び第２表示モードの連動した切替えを行うものであることを特徴とする請求項１に記載の記録・再生システム。
【請求項３】
前記第１及び第２表示モードの対応関係は、前記記録媒体の記録又は再生に応じて変化する時間に関する異なる情報を表示する表示モード同士が対応することのないように定められていることを特徴とする請求項１又は２に記載の記録・再生システム。
【請求項４】
記録・再生装置により記録媒体に対し記録又は再生を行う際に、前記記録・再生装置により、前記記録媒体に対する記録又は再生に関連する各種情報のうち、与えられる指示に基づいてサイクリックに切り替えられる第１の表示モードに対応するものを表示するとともに、前記記録・再生装置に外部装置として接続されたコンピュータにより、前記各種情報のうち、与えられる指示に基づいてサイクリックに切り替えられる第２の表示モードに対応するものを表示する記録・再生方法において、
前記切替えの指示が前記記録・再生装置又はコンピュータのいずれで生じたイベントであるかにかかわらず、その切替え指示に応じ、前記第１及び第２表示モードを、あらかじめ定められた前記第１及び第２表示モードの対応関係に従い、連動させて切り替える切替え工程を具備し、
前記第１及び第２表示モードの対応関係は、前記第１及び第２表示モードに共通の表示モードについては同一の表示モード同士が対応し、前記第１又は第２表示モードの一方にのみ存在する表示モードについては、他方の表示モードのうち、前記サイクリックな表示の順序における直近の前記共通の表示モードが対応するように定められていることを特徴とする記録・再生方法。
【請求項５】
前記切替え工程では、前記第１又は第２表示モードをどの表示モードに切り替えるかを前記記録・再生装置において判定し、その表示モードに前記第１又は第２表示モードを切り替えるとともに、前記第１及び第２表示モードの対応関係に従い、この切替え後の第１又は第２表示モードに対応させて前記第２又は第１表示モードの切替えを行うことにより、前記第１及び第２表示モードの連動した切替えを行うことを特徴とする請求項４に記載の記録・再生方法。
【請求項６】
前記第１及び第２表示モードの対応関係は、前記記録媒体の記録又は再生に応じて変化する時間に関する異なる情報を表示する表示モード同士が対応することのないように定められていることを特徴とする請求項４又は５に記載の記録・再生方法。
【発明の詳細な説明】
【０００１】
【発明の属する技術分野】
本発明は、記録・再生装置により、記録媒体に対する記録又は再生に関連する各種情報のうち、切替え可能な第１の表示モードに対応するものを表示するとともに、記録・再生装置に接続されたコンピュータにより、前記各種情報のうち、切替え可能な第２の表示モードに対応するものを表示する記録・再生システム及び方法に関する。
【０００２】
【従来の技術】
ＣＤプレーヤやＭＤレコーダのような製品では、製品本体の表示装置上に再生・記録に関する各種情報を表示する。表示装置としては一般的にＦＬ表示管やＬＣＤディスプレイ等が使用されるが、これらのディスプレイ装置は数年で大幅なコストダウンと高密度化が行われ、従来のような英数文字だけではなく、漢字のような高密度の情報も表示できるような製品が現れている。しかし、製品本体における表示用の占有面積、各種制御用マイコンの処理速度等のハード構成上の各種制限も依然として存在するため、表示モードを切替えキーにより切り替えながら、限られたスペースで各種情報の表示を行う方式を用いるのが一般的となっている。この方式は製造コストの問題だけでなく、不必要な情報を表示しないといった意味でも都合良く、合理的な仕様である。
【０００３】
図７は従来のＭＤレコーダの外観を示す。このＭＤレコーダは、同図に示すように、基本操作キーとして、再生／一時停止及び各種メニュー確定キー７１、スキップアップ及び各種メニュー選択送りキー７３、スキップダウン及び各種メニュー選択戻しキー７２、早送りキー７４、早戻しキー７５、停止及び各種メニューキャンセルキー７６、記録キー７７、イジェクトキー７８、電源のオン／オフを行うためのパワーキー７９を備えている。また、各種設定、各種編集メニュー操作等の各種モードを切り替えるためのモードキー８０、及び各種表示モードを切り替えるためのディスプキー８１を備える。また、各種情報を集中的に表示するための表示部８２及びＭＤ（ミニ・ディスク）を装置に挿入するためのＭＤ挿入口８３を備える。
【０００４】
図８及び図９は表示部８２における表示例を示す。図８では、ＭＤの再生中であり、かつ再生中の曲（トラック）の経過時間を表示するＳＩＮＧＬＥ（シングル）（+）モードの場合が示されている。図８中の８５は再生中であることを示す再生インジケータ、８６は再生中のトラック番号、８７はそのトラックについての再生時間、８８は再生レベルを示すレベルメータ、８９は再生中のトラックについてのステレオ、モノ、ＬＰ２（２倍長録音）、ＬＰ４（４倍長録音）等の記録モードである。図９では、記録の一時停止中であり、かつディスクの録音可能（残量）時間を表示するＲＥＭＡＩＮ（リメイン）モードの場合が示されている。図９中の９１は記録中であることを示す記録インジケータ、９２は一時停止中であることを示す一時停止インジケータ、９３は録音可能（残量）時間、９４は記録レベルを示すレベルメータ、９５は記録モード、９６は記録ソースである。
【０００５】
図１０はこのＭＤレコーダの構成を示すブロック図である。同図において、２５はＭＤに対する記録及び再生を行う記録・再生部、２６は装置内の各種機構を制御するための機構制御用マイコン、２７はＡＴＲＡＣ（アトラック）用のディジタル信号プロセッサを構成するＬＳＩ、２８は再生されたディジタル音声信号をアナログ音声信号に変換して装置外部へ出力するディジタル−アナログコンバータ、２９は入力されるアナログ音声信号をディジタル音声信号に変換するアナログ−ディジタルコンバータである。
【０００６】
ＡＴＲＡＣ用のＬＳＩ２７はＡＴＲＡＣによるエンコード処理用のＬＳＩ及びデコード処理用のＬＳＩ並びにこれらの処理における音声データ等のメモリ処理用のＤ−ＲＡＭを備える。記録・再生部２５はＭＤを入れ替えるためのスロットイン機構、ＭＤに対する読み書きを行うためのピックアップ機構、読み出された信号を増幅するＲＦアンプを構成するＲＦ信号ＬＳＩ、ピックアップ機構等を制御するサーボ機構等を備える。機構制御用マイコン２６は記録・再生部２５のサーボ機構や他の機構を制御するほか、ＭＤのＴＯＣ及びＵＴＯＣのデータ管理、再生・記録時間情報の生成等を行う。
【０００７】
図中の２２はマイコンであり、キー２４の各種操作キーの操作に基づき、各種再生・記録動作を機構制御用マイコン２６に指令するとともに、各種モードの切替え、編集メニューの操作制御、ディスプレイ２３への表示データの生成等の処理を行う。
【０００８】
図１１及び１２は、このＭＤレコーダにおける停止・再生動作中及び記録動作中のディスプキー８１の操作に対する処理を示すフローチャートである。停止・再生動作中にディスプキー８１が押下されると、図１１に示すように、ステップ１１１〜１１５において、現在の表示モードがＳＩＮＧＬＥ（＋）、ＳＩＮＧＬＥ（−）、ＴＯＴＡＬ（＋）、ＴＯＴＡＬ（−）、ＲＥＭＡＩＮの各モードであるか否かを判定し、これら各モードのいずれかであると判定した場合及びいずれにも該当せずＴＩＴＬＥモードである場合は、それぞれステップ１１６〜１２１においてＳＩＮＧＬＥ（−）、ＴＯＴＡＬ（＋）、ＴＯＴＡＬ（−）、ＲＥＭＡＩＮ、ＴＩＴＬＥ及びＳＩＮＧＬＥ（＋）の各モードに切り替えるようにしている。
【０００９】
ここで、ＳＩＮＧＬＥ（シングル）（＋）は再生中の曲（トラック）の経過時間、ＳＩＮＧＬＥ（−）は再生中の曲の残り時間、ＴＯＴＡＬ（トータル）（＋）は再生中のＭＤにおける各曲の総経過時間、ＴＯＴＡＬ（−）は再生中のＭＤにおける各曲の総残り時間、ＲＥＭＡＩＮ（リメイン）はＭＤの録音可能（残量）時間をそれぞれ表示するモードである。ＴＩＴＬＥ（タイトル）は停止時にはディスクタイトル、再生時にはトラックタイトルをそれぞれ表示するモードである。停止又は再生中は、これらの表示モードがディスプキー８１の押下によりサイクリックに切り替わるようになっている。
【００１０】
一方、記録動作中にディスプキー８１を押下すると、図１２に示すように、ステップ１２２及び１２３において、現在の表示モードがＳＩＮＧＬＥ（＋）又はＴＯＴＡＬ（＋）モードであるか否かを判定し、これらのモードのいずれかであると判定した場合及びこれらのモードに該当せずＲＥＭＡＩＮモードである場合はそれぞれステップ１２４〜１２６においてＴＯＴＡＬ（＋）、ＲＥＭＡＩＮ及びＳＩＮＧＬＥ（＋）の各モードに切り替えるようにしている。
【００１１】
ここで、ＳＩＮＧＬＥ（＋）は再生中の曲（トラック）の経過時間、ＴＯＴＡＬ（＋）は再生中のＭＤにおける各曲の総経過時間、ＲＥＭＡＩＮはＭＤの録音可能（残量）時間をそれぞれ表示するモードである。ＭＤへの記録中は、これらの表示モードがディスプキー８１の押下により、サイクリックに切り替わるようになっている。
【００１２】
図１１のように、停止・再生中の表示モードにＴＩＴＬＥモードを含めることにより、ディスプキー８１のみの操作で、各時間表示モードの切替えとタイトル表示モードの切替えを可能とし、非常に簡便な操作方法を実現している。なお、ＲＥＭＡＩＮモードで表示される残量時間が存在するのはレコーダブルＭＤディスクのみで、プリマスタードＭＤディスクではこのような時間は存在しないが、この場合、図９の録音可能（残量）時間９３の表示領域に"−：−−"と表示するなどで対応している。
【００１３】
図６は、記録動作開始時における表示モードの強制切替え処理を示すフローチャートである。記録状態に遷移すると、同図に示すように、ステップ６１〜６３においてそれぞれ現在の表示モードがＳＩＮＧＬＥ（−）、ＴＯＴＡＬ（−）又はＴＩＴＬＥの各モードであるか否かを判定し、これら各モードであると判定した場合はそれぞれステップ６４〜６６においてＳＩＮＧＬＥ（＋）、ＴＯＴＡＬ（＋）及びＳＩＮＧＬＥ（＋）の各モードに切り替える。これにより、記録状態に移行する場合に、移行前後の状態と表示モードとの整合性をとるようにしている。
【００１４】
図１３（ａ）〜（ｆ）はそれぞれＳＩＮＧＬＥ（＋）、ＳＩＮＧＬＥ（−）、ＴＯＴＡＬ（＋）、ＴＯＴＡＬ（−）、ＲＥＭＡＩＮ及びＴＩＴＬＥの各表示モードにおける時間及びタイトルの表示例を示す。ＴＯＴＡＬ（＋）、ＴＯＴＡＬ（−）、ＲＥＭＡＩＮといった時間系の表示モードでは、表示時間の末尾にトータル時間であることを示す"Ｔ"によるインジケータ９７や、録音可能な残量時間であることを示す"Ｒ"によるインジケータ９８等を付加し、曲の残時間の表示には表示時間に"−"符号９９を付加することにより、モードの区別がひと目でわかるようにしている。また、ＴＩＴＬＥモードにおけるタイトル表示では、画面に収まらないような長いタイトル列でもスクロール処理によってすべて表示することを可能にするとともに、停止中はディスクタイトルを表示し、再生中は再生中の曲（トラック）に付されたトラックタイトルを表示することにより、少ない表示エリアを合理的に利用している。
【００１５】
なお、ユーザがタイトルの有無を認知し易いように、ＳＩＮＧＬＥ（＋）、ＳＩＮＧＬＥ（−）、ＴＯＴＡＬ（＋）、ＴＯＴＡＬ（−）及びＲＥＭＡＩＮの時間系の表示モードに設定している場合でも、再生中の曲の変わり目にその曲のトラックタイトルを一時的にスクロール表示するようなことは自由であるし、表示装置によっては、ディスクタイトルとトラックタイトルを同時に表示することや、次に再生される曲のタイトルを予告表示することも可能である。
【００１６】
従来、ＭＤの各種編集操作やタイトル編集処理では、キーボードのような単体の入力装置があると非常に便利であるとされてきたが、近年、パソコンの普及に伴い、ＭＤレコーダ、ＤＶＤプレーヤ等といったＡＶシステム全体を総合的にパソコンでコントロールするような製品が見られるようになってきている。パソコンには必須であるキーボード、マウス、ディスプレイモニタ等を使用したＧＵＩ（グラフィック・ユーザ・インタフェース）と言われる入力環境は、簡単かつ多機能なＡＶシステムのコントロールを実現するのに相性が良く、パソコン上のコントロールアプリケーションソフト（以後、単に「パソコンのアプリケーション」等と略す。）やＡＶ機器本体の対応により、あらゆる操作を可能にする。
【００１７】
こうしたシステムでは、パソコンを経由してインターネット等から各種コンテンツを得ることができる。たとえば、ＣＤＤＢサーバ（ＣＤ  ＤａｔａｂａｓｅＳｅｒｖｅｒ）等のデータベースサーバにパソコンでアクセスし、ＣＤの曲のタイトルを見つけ出し、ＣＤをＭＤにダビングする際にタイトルを自動記録するといったことも可能になっている。
【００１８】
パソコンとオーディオ装置間のインタフェースとしては、ＲＳ２３２Ｃ等の比較的古いとされる通信方法を使用したものや、ＵＳＢやＩＥＥＥ１３９４といった新しいとされるインタフェース等が使用できるが、その他、パソコンの音声信号をオーディオ装置に出力することができるようにしたものや、逆にパソコンにＡＶ装置の音声や映像信号を送ることができるようにしたもの等の多種多様のものが使用できる。
【００１９】
さらに、コントロール形式も様々であり、ＭＤレコーダとパソコンとの接続を例とすれば、コントロール接続中すなわちリンク中にはＭＤレコーダ本体での操作が一切できなくなるものもあれば、パソコン側のアプリケーションで操作すると同時にＭＤレコーダ本体側でも通常の操作を行うことができるように設計されたものもある。一般的に、前者の方が各種排他処理を行わなくてもよいため、容易に実現可能である。たとえばパソコンのアプリケーションとＭＤレコーダ本体において排他処理無しに同時に編集等が行えるとすれば、データの整合性がとれなくなり、問題が発生することが容易に想像できる。しかし、いずれか一方しか操作できないようにすると、排他処理はほとんど必要なくなる。
【００２０】
図１４はパソコンのアプリケーションとの通信中は原則としてＭＤレコーダの操作ができないようにしたシステムを示す。同図において、５１はインターネットに接続されたパソコン、５２はパソコン５１に接続され、表示部５７を有するＭＤレコーダ、５３はパソコン５１のディスプレイ、５４はＭＤレコーダ５２を制御するパソコン５１のアプリケーションの画面、５５はパソコン５１のキーボード、５６はマウスである。
【００２１】
図１５は、ＭＤレコーダ５２における通信中か否かの表示処理を示すフローチャートである。ＭＤレコーダ５２は表示処理を開始すると、ステップ１５１において、パソコン５１と接続されており、かつパソコン５１と通信中か否かを判定する。通信中であると判定したときはステップ１５２において、表示部５７に通信中であることを示す"ＬＩＮＫ"を表示し、処理を終了する。この表示が行われている間、ＭＤレコーダ５２における操作は禁止される。ステップ１５１において通信中でないと判定したときは、ステップ１５３において通常の状態である旨を表示し、処理を終了する。
【００２２】
図１６は、ＭＤレコーダ５２におけるキー入力処理を示すフローチャートである。ＭＤレコーダ５２は、キーの押下を検出すると、ステップ１７１において、パソコン（ＰＣ）５１と接続されており、かつパソコン５１と通信中か否かを判定する。通信中でないと判定したときはステップ１７６において、通常のキーの処理を行う。通信中であると判定したときは、ステップ１７２において、押下されたキーがパワー（ＰＯＷＥＲ）キー７９であるか否かを判定する。パワーキー７９であると判定したときはステップ１７３においてパワーキー７９の押下に対する処理を行い、キー入力処理を終了する。パワーキー７９でないと判定したときは、ステップ１７３において、押下されたキーがイジェクト（ＥＪＥＣＴ）キー７８であるか否かを判定する。イジェクトキー７８であると判定したときはステップ１７５においてイジェクトキー７８の押下に対する処理を行い、キー入力処理を終了する。イジェクトキー７８でないと判定したときはそのままキー入力処理を終了する。これにより、パワー、イジェクト等の重要なキーについてはパソコンと通信中でも優先的に操作を受け入れるが、他の一般的な処理のキーが押下された場合は、処理が禁止されることになる。
【００２３】
図１７及び図１８はパソコンのアプリケーション及びＭＤレコーダで同時に各種操作を可能とした場合のパソコンのアプリケーション画面及びＭＤレコーダの表示部における表示例を示す。図１７において、２は各種の基本操作を行うためのボタン類、３はタイトルやトラックに関する編集を行うための編集関連ボタン、４は時間表示のモードを切り替えるためのタイムボタン、５はリピートや再生モードを指定するための再生モード関連ボタン、６は各種情報を表示するための情報表示部である。
【００２４】
図１８では、パソコンとリンク中である場合の表示例が示されており、図中の１８１はパソコンとリンク中である旨を表示するリンクインジケータである。リンクインジケータ１８１はパソコンのアプリケーションとＭＤレコーダとが接続され、かつ通信状態にあるときに点灯し、リンク中であることをユーザに知らせる。そして、アプリケーション上での編集操作中はＭＤレコーダの各種編集操作キーを使えなくする等の排他処理の必要があるが、アプリケーション上での編集操作中はリンクインジケータ１８１を点滅させる等の動作により、ユーザにこの状態を知らせることができる。
【００２５】
図１９はリンクインジケータ１８１の表示処理を示すフローチャートである。ＭＤレコーダは表示処理を開始すると、ステップ１９１において、パソコンに接続され、かつ通信中であるか否かを判定する。通信中でなければステップ１９５においてリンクインジケータ１８１を消灯させ、処理を終了する。通信中であれば、ステップ１９２において、パソコンで編集操作中であるか否かを判定する。編集操作中でなければ、ステップ１９３において、リンクインジケータ１８１を点灯させ、編集中であればステップ１９４においてリンクインジケータ１８１を点滅させて、処理を終了する。
【００２６】
この場合、図１７に示されるように、パソコンのアプリケーションでは、画面面積等において、ＭＤレコーダの表示部と比べても制限がほとんど無い。ディスクタイトル、トラックタイトル、トラック番号、時間表示、レベルメータ表示等の各種情報及び操作ボタン類等を同時に表示することも自由で、コスト的な制約もない。タイトルデータをすべてアプリケーション側に転送することによってタイトルをリスト状に表示することも可能であり、スキン等と呼ばれる設定ファイルによりアプリケーション画面のデザインをユーザがカスタマイズすることを可能にする技術も今後増えていくことが予想される。
【００２７】
図２０は、図１７のタイムボタン４の押下時の処理を示すフローチャートである。タイムボタン４が押下されると、ステップ２０１〜２０４において、現在の表示モードがＳＩＮＧＬＥ（＋）、ＳＩＮＧＬＥ（−）、ＴＯＴＡＬ（＋）又はＴＯＴＡＬ（−）であるかを判定し、いずれかのモードであると判定した場合及びいずれにも該当せずＲＥＭＡＩＮモードである場合は、それぞれステップ２０５〜２０９において、表示モードをＳＩＮＧＬＥ（−）、ＴＯＴＡＬ（＋）、ＴＯＴＡＬ（−）、ＲＥＭＡＩＮ及びＳＩＮＧＬＥ（＋）に切り替える。
【００２８】
アプリケーション側では上述のように十分な画面領域が確保できるため、各種タイトルと時間を同時に表示することができる。したがって単に時間系の表示モードのみがサイクル状に切り替えられれば十分なので、タイムボタン４によりＳＩＮＧＬＥ（＋）、ＳＩＮＧＬＥ（−）、ＴＯＴＡＬ（＋）、ＴＯＴＡＬ（−）及びＲＥＭＡＩＮの各モードを選択できればよい。
【００２９】
【発明が解決しようとする課題】
しかしながら、ＭＤレコーダ側では従来どおりＴＩＴＬＥモードを含んだ形でのサイクル切替え処理を行っているため、以下のような問題がある。
【００３０】
図２１はアプリケーション２１１とＭＤレコーダ５２との間の通信の様子を示す図である。タイムボタン４に限らず、アプリケーション画面の各種ボタンの操作については、同図に示すように、ボタンの押下があったことのみをボタン（キー）イベントとしてＭＤレコーダ５２に通知し、このイベントをＭＤレコーダ５２側で処理し、表示データをアプリケーション２１１側に送るのが、最も簡単かつ安全性の高い方法であると考えられる。これによれば、アプリケーション２１１に送る表示データは基本的にＭＤレコーダ５２で表示に使用しているものを流用すればよいため、ＭＤレコーダ５２のマイコンの負荷も少なく済む。
【００３１】
しかし前述のように、アプリケーションのタイムボタン４とＭＤレコーダのディスプキー（表示切替えキー）８１のサイクル切替え仕様が異なると、アプリケーションとＭＤレコーダとで個別の時間表示モードをもたなくてはつじつまが合わなくなる。さらに、停止・再生中と記録中とでは時間情報として表示すべき情報も異なるため、これらの状態判定をアプリケーション側で行う必要が生じる。アプリケーション側で各種状態判定等の複雑な処理を行うにつれて、パソコンとＭＤレコーダ間の通信データは膨大になり、相互の状態の影響を受けるようになって通信タイミングによるミスマッチ問題なども表面化してくる。さらに、アプリケーションがハングアップした場合のセーフティ処理も複雑なものになると考えられる。
【００３２】
また、再生中のＭＤに関する時間情報の表示には、通常ＴＯＣ及びＵＴＯＣのデータの演算処理が必要であるが、トラック数が多い場合や編集を繰り返したディスクの場合には複雑な演算処理を要する場合がある（詳細は省略）。これらの演算処理は、図１０の例では、機構制御用マイコン２６が受け持ち、演算処理された時間情報を、信号線を通じてマイコン２２に通知するようになっている。機構制御用マイコン２６は、このような比較的重い演算処理や、サーボコントロール等のタイミングのシビアな処理を主に行うような構成とするのが一般的である。仮にアプリケーションとＭＤレコーダに前述したような個別の時間モードをもたせるとすると、図２２に示されるように、機構制御用マイコン２６からＳＩＮＧＬＥ（+）モード及びＴＯＴＡＬ（+）モード用の時間情報をアプリケーション及びマイコン２２へ送信する等のように、複数の時間情報の同時送信が必要になる。これに伴い、機構制御用マイコン２６の負荷は増大し、通常動作に支障を来たすおそれがある。
【００３３】
本発明発明の目的は、かかる従来技術の問題点に鑑み、記録・再生システム及び方法において、記録・再生装置の機構制御用マイコン等に過大な負荷を与えることなく、記録・再生装置及びコンピュータのそれぞれに適合した各種情報の切替え表示を可能にすることにある。
【００３４】
【課題を解決するための手段】
この目的を達成するため、第１の発明に係る記録・再生システムは、記録媒体に対し記録又は再生を行う記録・再生装置及びこれに接続されるコンピュータを備え、前記記録・再生装置は前記記録媒体に対する記録又は再生に関連する各種情報のうち、与えられる指示に基づいて切り替えられる第１の表示モードに対応するものを表示する手段を有し、前記コンピュータは前記各種情報のうち、与えられる指示に基づいて切り替えられる第２の表示モードに対応するものを表示するものである記録・再生システムにおいて、前記切替えの指示が前記記録・再生装置又はコンピュータのいずれで生じたイベントであるかにかかわらず、その切替え指示に応じ、前記第１及び第２表示モードを、あらかじめ定められた前記第１及び第２表示モードの対応関係に従い、連動させて切り替える切替え手段を具備することを特徴とする。
【００３５】
ここで、記録又は再生を行う記録・再生装置には、記録又は再生のうちいずれか一方のみ及び双方を行うものが含まれる。記録媒体としては記録又は再生が可能な種々の媒体が該当するが、具体的にはＣＤ、ＣＤ−Ｒ、ＣＤ−ＲＷ、ＭＤ、記録又は再生が可能な各種ＤＶＤ、ＤＡＴ（ディジタルオーディオテープ）等が該当する。記録又は再生に関する各種情報としては、たとえば、ディスクのタイトル、曲のタイトル、トラック番号、録音又は再生のレベル、及び曲の録音又は再生時間、録音可能時間等の時間に関する各種情報が該当する。表示モードを切り替えるための指示は、記録・再生装置又はコンピュータのいずれからでも行うことができる。指示を与えるための手段としては、操作キーの押下や表示ボタンのクリック等によりサイクリックに切替える手段や、表示モードを任意に選択できる手段を用いることができる。
【００３６】
この構成において、記録・再生装置が記録又は再生を開始すると、記録又は再生の進行に伴って、トラック番号や記録又は再生時間等の各種情報が変化してゆく。その間、記録・再生装置及びコンピュータのそれぞれにおいて、各種情報のうち、第１表示モード及び第２表示モードに対応する情報がリアルタイムで表示される。その際、表示モードの切替え指示を記録・再生装置又はコンピュータに与えると、第１表示モードと第２表示モードとの対応関係に従い、第１及び第２表示モードが連動して切り替わる。したがって、第１表示モードと第２表示モードとの対応関係を適切に設定しておくことにより、各表示モードに対応させて表示すべき情報の取得の負荷を軽減することができる。また、第１表示モードと第２表示モードが一定の対応関係に従って切り替わるため、切替え時の処理も容易となる。
【００３７】
第２の発明に係る記録・再生システムは、第１発明において、前記第１及び第２表示モードの対応関係は、前記第１及び第２表示モードに共通の表示モードについては同一の表示モード同士が対応し、前記第１又は第２表示モードの一方にのみ存在する表示モードについてはそれらに他方の表示モードのうち所定のものが対応するように定められていることを特徴とする。
【００３８】
この構成において、第１及び第２表示モードが共通の表示モードに切り替わったとき、第１及び第２表示モードに従って表示すべき情報は同一であるため、記録・再生装置がその表示モードで表示すべき情報をコンピュータ側にも送る等により、双方でその情報を共用することができる。特に、共通の表示モードが、取得に高負荷を要する情報を表示する表示モードである場合、記録・再生装置等の負荷が過大になるのを防止することができる。一方、共通の表示モード以外のモードに切り替わるとき、第１又は第２表示モードの一方にのみ存在する表示モードに対し他方の表示モードのうち所定のものが対応するように、第１及び第２表示モードが切り替えられる。したがって本第２発明によれば、第１及び第２表示モードとして指示しうる表示モードの種類に差異がある場合でも、記録・再生装置側とコンピュータ側それぞれで要求される各表示モードに対応する表示を行いながら、共通の表示モードについては常に双方の表示モードが同一となって記録・再生装置等の過大な負荷を防止することができる。
【００３９】
第３の発明に係る記録・再生システムは、第１又は第２発明において、前記切替え手段は、前記切替え指示が与えられた場合、前記第１又は第２表示モードをどの表示モードに切り替えるかを前記記録・再生装置において判定し、その表示モードに前記第１又は第２表示モードを切り替えるとともに、前記第１及び第２表示モードの対応関係に従い、この切替え後の第１又は第２表示モードに対応させて前記第２又は第１表示モードの切替えを行うことにより、前記第１及び第２表示モードの連動した切替えを行うものであることを特徴とする。
【００４０】
現在の表示モードに対する切替え後の表示モードは、記録・再生装置が停止、再生又は記録状態にあるかによって異なる。したがって、切替え後の表示モードを如何なるものに設定するかの判定には、記録・再生装置の状態の判定が必要である。これらの判定をコンピュータ側で行うとすれば、記録・再生装置とコンピュータ間の通信データ量が多くなる。しかし、本第３発明では、切替え後の第１表示モードの判定を記録・再生装置において行い、その判定結果並びに第１及び第２表示モード間の対応関係に基づいて第２表示モードが容易に決まるため、記録・再生装置とコンピュータ間の通信データ量が多くなることもなく、切替え処理を容易に行うことができる。
【００４１】
第４の発明に係る記録・再生システムは、第１〜第３発明において、前記第１及び第２表示モードの対応関係は、前記記録媒体の記録又は再生に応じて変化する時間に関する異なる情報を表示する表示モード同士が対応することのないように定められていることを特徴とする。
【００４２】
記録媒体の記録又は再生に応じて変化する時間に関する情報を取得するには複雑な処理を要する。たとえば、再生中のＭＤに関する時間情報を取得するには、ＴＯＣやＵＴＯＣのデータについて複雑な演算処理を要する場合がある。しかし本第４発明によれば、取得に大きな負荷を要する時間情報を表示する表示モードについては、異種類の情報を表示する表示モードが対応しないように第１及び第２表示モードの対応関係が定められているため、取得に大きな負荷を要する時間情報の表示モードが重なって過大な負荷が生じるのを防止することができる。
【００４３】
第５の発明に係る記録・再生方法は、記録・再生装置により記録媒体に対し記録又は再生を行う際に、前記記録・再生装置により、前記記録媒体に対する記録又は再生に関連する各種情報のうち、与えられる指示に基づいて切り替えられる第１の表示モードに対応するものを表示するとともに、前記記録・再生装置に接続されたコンピュータにより、前記各種情報のうち、与えられる指示に基づいて切り替えられる第２の表示モードに対応するものを表示する記録・再生方法において、前記切替えの指示が前記記録・再生装置又はコンピュータのいずれで生じたイベントであるかにかかわらず、その切替え指示に応じ、前記第１及び第２表示モードを、あらかじめ定められた前記第１及び第２表示モードの対応関係に従い、連動させて切り替える切替え工程を具備することを特徴とする。
【００４４】
これによれば、第１発明の場合と同様に、各表示モードに対応させて表示すべき情報の取得の負荷を軽減することができる。また、表示モードの切替え処理も容易となる。
【００４５】
第６の発明に係る記録・再生方法は、第５発明において、前記第１及び第２表示モードの対応関係は、前記第１及び第２表示モードに共通の表示モードについては同一の表示モード同士が対応し、前記第１又は第２表示モードの一方にのみ存在する表示モードについてはそれらに他方の表示モードのうち所定のものが対応するように定められていることを特徴とする。
【００４６】
これによれば、第２発明の場合と同様に、第１及び第２表示モードとして指示しうる表示モードの種類に差異がある場合でも、記録・再生装置側とコンピュータ側それぞれで要求される各表示モードに対応する表示を行いながら、記録・再生装置等の過大な負荷を防止することができる。
【００４７】
第７の発明係る記録・再生方法は、第５又は第６発明において、前記切替え工程では、前記第１又は第２表示モードをどの表示モードに切り替えるかを前記記録・再生装置において判定し、その表示モードに前記第１又は第２表示モードを切り替えるとともに、前記第１及び第２表示モードの対応関係に従い、この切替え後の第１又は第２表示モードに対応させて前記第２又は第１表示モードの切替えを行うことにより、前記第１及び第２表示モードの連動した切替えを行うことを特徴とする。
【００４８】
これによれば、第３発明の場合と同様に、記録・再生装置とコンピュータ間の通信データ量が多くなることもなく、切替え処理を容易に行うことができる。
第８の発明に係る記録・再生方法は、第５〜第７のいずれかの発明において、前記第１及び第２表示モードの対応関係は、前記記録媒体の記録又は再生に応じて変化する時間に関する異なる情報を表示する表示モード同士が対応することのないように定められていることを特徴とする。
【００４９】
これによれば、第４発明の場合と同様に、取得に大きな負荷を要する時間情報の表示モードが重なって過大な負荷が生じるのを防止することができる。
【００５０】
【発明の実施の形態】
図１は本発明の一実施形態に係るシステムを示す。図中の１はパソコンのアプリケーションによる表示画面である。この画面には、各種の基本操作を行うためのボタン類２、編集関連ボタン３、時間情報の表示モードを切り替えるためのタイムボタン４及び再生モード関連ボタン５が表示されている。６は表示画面１中の情報表示部である。情報表示部６には、ディスクタイトル、トラックタイトル、曲の経過時間、残り時間等の時間情報等が表示される。７はパソコンに接続された図７と同様のＭＤレコーダであり、表示モードの切替えを行うためのディスプキー８１、各種情報を表示するための表示部８２等を有する。図７と同一の符号は図７の場合と同様の要素を示す。
【００５１】
図２はＭＤレコーダ７の構成を示すブロック図である。同図に示すように、図１０のシステムに対し、外部のパソコンとの通信を行うためのインタフェース変換回路３０を追加した構成を有する。図２中の図１０と同一の符号は図１０の場合と同様の要素を示す。
【００５２】
このシステムでは、アプリケーション及びＭＤレコーダ７における表示モードの切替え処理において、タイムボタン４及びディスプキー８１による表示モードの切替えは、基本的には、ＭＤレコーダ７が有する切替えモードの一系統のみとし、アプリケーションとＭＤレコーダ７とで別個の表示モード等は用意していない。つまり、アプリケーションの時間切替えボタン４のイベントはＭＤレコーダ７本体の表示切替えキー８１のイベントと同様にＭＤレコーダ７に渡され、ＭＤレコーダ７において表示の切替え処理がなされる。
【００５３】
ＭＤレコーダ７での表示モードはＳＩＮＧＬＥ（＋）、ＳＩＮＧＬＥ（−）、ＴＯＴＡＬ（＋）、ＴＯＴＡＬ（−）、ＲＥＭＡＩＮ及びＴＩＴＬＥの各モードであり、これらはディスプキー８１でサイクリックに切り替えられる。ＳＩＮＧＬＥ（−）、ＴＯＴＡＬ（−）及びＴＩＴＬＥの表示モードは記録中は選べないようになっているので、図６を用いて上述したように、記録動作開始時にこれらのモードであれば強制的に他のモードに切り替えられる。
【００５４】
図３はＭＤレコーダ７とアプリケーション間の表示モードの対応関係を示す表である。ＭＤレコーダ７の表示モードが同表の左欄に示す各モードであるとき、アプリケーションには右欄の各表示モードが通知される。すなわちＭＤレコーダは、ＳＩＮＧＬＥ（＋）、ＳＩＮＧＬＥ（−）、ＴＯＴＡＬ（＋）、ＴＯＴＡＬ（−）及びＲＥＭＡＩＮの各モードのときは同一モードをアプリケーションに通知するが、ＴＩＴＬＥモードのときはＳＩＮＧＬＥ（+）モードを通知するようにしている。これにより、アプリケーションでの表示モードは、ＳＩＮＧＬＥ（+）、ＳＩＮＧＬＥ（−）、ＴＯＴＡＬ（+）、ＴＯＴＡＬ（−）及びＲＥＭＡＩＮとなり、アプリケーションに通知される表示モード中にはＴＩＴＬＥモードは存在しない。すなわち、両表示モードに共通の表示モードＳＩＮＧＬＥ（＋）、ＳＩＮＧＬＥ（−）、ＴＯＴＡＬ（＋）、ＴＯＴＡＬ（−）及びＲＥＭＡＩＮについては同一の表示モード同士が対応し、一方にのみ存在する表示モードＴＩＴＬＥについてはそれらに他方の表示モードのうちのＳＩＮＧＬＥ（＋）が対応するように定められている。
【００５５】
図４及び図５は本システムのそれぞれ停止・再生中及び記録中における表示モードの切替えイベントに対する処理を示すフローチャートである。これらの表示モードの切替え処理は前述したようにＭＤレコーダ側で行われる。
【００５６】
ＭＤレコーダ７の停止又は再生中にＭＤレコーダ７のディスプキー８１又はアプリケーションのタイムボタン４が操作されると、ＭＤレコーダ７は、図４に示すように、ステップ４１において、操作されたのがディスプキー８１であるか又はタイムボタン４であるか、すなわち表示切替えのイベントがＭＤレコーダ側のものであるかアプリケーション側のものであるかを判定する。ＭＤレコーダ側のイベントであると判定した場合はステップ４２において表示モードを、現在のモードがＳＩＮＧＬＥ（＋）である場合はＳＩＮＧＬＥ（−）に、ＳＩＮＧＬＥ（−）である場合はＴＯＴＡＬ（＋）に、ＴＯＴＡＬ（＋）である場合はＴＯＴＡＬ（−）に、ＴＯＴＡＬ（−）である場合はＲＥＭＡＩＮに、ＲＥＭＡＩＮである場合はＴＩＴＬＥに、そしてＴＩＴＬＥである場合はＳＩＮＧＬＥ（＋）に切り替えて処理を終了する。このモードの切替えに連動して、図３の対応関係に従い、切り替わったＭＤレコーダ側の表示モードに対応するアプリケーション側の表示モードがアプリケーション側に通知される。
【００５７】
一方、ステップ４１において、アプリケーション側のイベントであると判定した場合は、ステップ４３において、現在のＭＤレコードの表示モードがＳＩＮＧＬＥ（＋）である場合はアプリケーション側の表示モードをＳＩＮＧＬＥ（−）に、ＳＩＮＧＬＥ（−）である場合はＴＯＴＡＬ（＋）に、ＴＯＴＡＬ（＋）である場合はＴＯＴＡＬ（−）に、ＴＯＴＡＬ（−）である場合はＲＥＭＡＩＮに、ＲＥＭＡＩＮである場合はＳＩＮＧＬＥ（＋）に、そしてＴＩＴＬＥである場合もＳＩＮＧＬＥ（＋）に切替えて処理を終了する。切替え後の表示モードはアプリケーション側に通知されるとともに、これに連動して、ＭＤレコーダでは図３の対応関係で、表示モードの切替えが行われる。
【００５８】
これによれば、アプリケーション側ではタイムボタン４を押下することによって時間系の情報のみを、図３の表の右欄の順に従い、不自然なくサイクリックに切り替えることができる。このとき、タイムボタン４の押下による切替えに連動して、ＭＤレコーダ７の表示モードも、同表の対応関係に従い、同表左欄の各表示モードに切り替わる。
【００５９】
一方、ＭＤレコーダ７では、時間系の情報とタイトルの情報をディスプキー８１を押下することによって従来どおり、図３の表の左欄の順で不自然なくサイクリックに切り替えることができる。このとき、アプリケーションの使用中であれば、ＭＤレコーダ７における表示モードがＲＥＭＡＩＮからＴＩＴＬＥに切り替わるとき及びＴＩＴＬＥからＳＩＮＧＬＥ（+）に切り替わるときを除き、アプリケーション側の表示モードもディスプキー８１によるＭＤレコーダ７における表示モードの切替えに連動する。ＭＤレコーダ７においてＴＩＴＬＥモードからＳＩＮＧＬＥ（＋）モードに切り替わるときは、アプリケーション側ではＳＩＮＧＬＥ（＋）モードを維持する。
【００６０】
本実施形態によれば、表示モード切替えのイベントがアプリケーション側のものであるか又はＭＤレコーダ側のものであるかにかかわらず、そのイベントに応じて図３の対応関係に従い、ＭＤレコーダ側では従来どおり同図の左欄の順で表示モードが切り替わり、アプリケーション側では同図の右欄の順で表示モードが切り替わる。したがって、従来の処理に大きな変更を要することなく、パソコン上のアプリケーションのタイムボタン４とＭＤレコーダ７のディスプキー８１により表示モードの切替えを自然に操作して行うことができる。また、アプリケーション側とＭＤレコーダ側とで異なる時間情報の表示モードが同時に存在することがないため、ＭＤレコーダの機構制御用マイコン２６における時間情報の生成を一系統で行うことができる。したがって、機構制御用マイコン２６等に大きな負荷を与えることがない。
【００６１】
【発明の効果】
以上説明したように本発明によれば、切替えの指示が記録・再生装置又はコンピュータのいずれで生じたイベントであるかにかかわらず、その切替え指示に応じ、第１及び第２表示モードを、あらかじめ定められた第１及び第２表示モードの対応関係に従い、連動させて切り替えるようにしたため、各表示モードに対応させて表示すべき情報の取得の負荷を軽減することができる。また、切替え時の処理も容易となる。
【００６２】
また、第１及び第２表示モードの対応関係を、第１及び第２表示モードに共通の表示モードについては同一の表示モード同士が対応し、第１又は第２表示モードの一方にのみ存在する表示モードについてはそれらに他方の表示モードのうち所定のものが対応するように定めるようにしたため、第１及び第２表示モードとして指示しうる表示モードの種類に差異がある場合でも、記録・再生装置側とコンピュータ側それぞれで要求される各表示モードに対応する表示を行いながら、記録・再生装置等に対する過大な負荷を防止することができる。
【００６３】
また、第１表示モードをどの表示モードに切り替えるかを記録・再生装置において判定し、その表示モードに第１表示モードを切り替えるとともに、第１及び第２表示モードの対応関係に従い、この切替え後の第１表示モードに対応させて第２表示モードの切替えを行うことにより、第１及び第２表示モードの連動した切替えを行うようにしたため、記録・再生装置とコンピュータ間の通信データ量が多くなることもなく、切替え処理を容易に行うことができる。
【００６４】
また、第１及び第２表示モードの対応関係を、記録媒体の記録又は再生に応じて変化する時間に関する異なる情報を表示する表示モード同士が対応することのないように定めるようにしたため、取得に大きな負荷を要する時間情報の表示モードが重なって過大な負荷が生じるのを防止することができる。
【図面の簡単な説明】
【図１】本発明の一実施形態に係るシステムを示す図である。
【図２】図１のシステムにおけるＭＤレコーダの構成を示すブロック図である。
【図３】図１のシステムにおけるＭＤレコーダとアプリケーション間の表示モードの対応関係を示す表の図である。
【図４】図１のシステムの停止・再生中における表示モードの切替えイベントに対する処理を示すフローチャートである。
【図５】図１のシステムの記録中における表示モードの切替えイベントに対する処理を示すフローチャートである。
【図６】図１のシステムの記録動作開始時における表示モードの強制切替え処理を示すフローチャートである。
【図７】従来のＭＤレコーダの外観を示す図である。
【図８】図７のＭＤレコーダの表示部における表示例を示す図である。
【図９】図７のＭＤレコーダの表示部における別の表示例を示す図である。
【図１０】図７のＭＤレコーダの構成を示すブロック図である。
【図１１】図７のＭＤレコーダにおける停止・再生動作中のディスプキーの操作に対する処理を示すフローチャートである。
【図１２】図７のＭＤレコーダにおける記録動作中のディスプキーの操作に対する処理を示すフローチャートである。
【図１３】図７のＭＤレコーダの各表示モードにおける時間及びタイトルの表示例を示す図である。
【図１４】パソコンのアプリケーションとの通信中は原則としてＭＤレコーダの操作ができないようにしたシステムを示す図である。
【図１５】図１４のシステムのＭＤレコーダにおける通信中か否かの表示処理を示すフローチャートである。
【図１６】図１４のシステムのＭＤレコーダにおけるキー入力処理を示すフローチャートである。
【図１７】パソコンのアプリケーション及びＭＤレコーダで同時に各種操作を可能とした場合のパソコンのアプリケーション画面における表示例を示す図である。
【図１８】パソコンのアプリケーション及びＭＤレコーダで同時に各種操作を可能とした場合のＭＤレコーダの表示部における表示例を示す図である。
【図１９】図１８のＭＤレコーダにおけるリンクインジケータの表示処理を示すフローチャートである。
【図２０】図１７のタイムボタンの押下時の処理を示すフローチャートである。
【図２１】アプリケーションとＭＤレコーダとの間の通信の様子を示す図である。
【図２２】機構制御用マイコンからＳＩＮＧＬＥ（+）モード及びＴＯＴＡＬ（+）モード用の時間情報をアプリケーション及びマイコンへ送信する様子を示す図である。
【符号の説明】
１：表示画面、２：ボタン類、３：編集関連ボタン、４：タイムボタン、５：再生モード関連ボタン、６：情報表示部、７：ＭＤレコーダ、２２：マイコン、２３：ディスプレイ、２４：キー、２５：記録・再生部、２６：機構制御用マイコン、２７：ＡＴＲＡＣ（アトラック）用ＬＳＩ、２８：ディジタル−アナログコンバータ、２９：アナログ−ディジタルコンバータ、３０：インタフェース変換回路、５１：パソコン、５２：ＭＤレコーダ、５３：ディスプレイ、５４：アプリケーションの画面、５５：キーボード、５６：マウス、７１：再生／一時停止及び各種メニュー確定キー、７２：スキップアップ及び各種メニュー選択送りキー、７３：スキップダウン及び各種メニュー選択戻しキー、７４：早送りキー、７５：早戻しキー、７６：停止及び各種メニューキャンセルキー、７７：記録キー、７８：イジェクトキー、７９：パワーキー、８０：モードキー、８１：ディスプキー、８２：表示部、８３：ＭＤ挿入口、８５：再生インジケータ、８６：トラック番号、８７：再生時間、８８：レベルメータ、８９：記録モード、９１：記録インジケータ、９２：一時停止インジケータ、９３：録音可能（残量）時間、９４：レベルメータ、９５：記録モード、９６：記録ソース、９７，９８：インジケータ、９９：符号、１８１：リンクインジケータ、２１１：アプリケーション。
【図１】
0004106583.tif 000002
【図２】
0004106583.tif 000003
【図３】
0004106583.tif 000004
【図４】
0004106583.tif 000005
【図５】
0004106583.tif 000006
【図６】
0004106583.tif 000007
【図７】
0004106583.tif 000008
【図８】
0004106583.tif 000009
【図９】
0004106583.tif 000010
【図１０】
0004106583.tif 000011
【図１１】
0004106583.tif 000012
【図１２】
0004106583.tif 000013
【図１３】
0004106583.tif 000014
【図１４】
0004106583.tif 000015
【図１５】
0004106583.tif 000016
【図１６】
0004106583.tif 000017
【図１７】
0004106583.tif 000018
【図１８】
0004106583.tif 000019
【図１９】
0004106583.tif 000020
【図２０】
0004106583.tif 000021
【図２１】
0004106583.tif 000022
【図２２】
0004106583.tif 000023